(57)【要約】【課題】電気回路を収納する保持部の温度上昇により、使用者に不快感を与えない出力装置を提供する。【解決手段】ヘッドマウントディスプレイは、両耳を左右から押さえてヘッドマウントディスプレイを頭部に固定するイヤーパッド１、２を備えている。各イヤーパッド１、２は、自在ヒンジ５、６を介して保持部７、８に固定されている。左右の保持部７，８は、ヘッドバンド部９内に摺動自在に差し込まれ、ヘッドバンド部９により連結されている。保持部８の筐体内部には、電気回路１３が取り付けられている。自在ヒンジ６は、線バネの弾性力を受けながら、自在に回動可能とされているが、自在ヒンジ６は、熱伝導率が低い材料でできているので、電気回路１３から発生した熱は、イヤーパッド２に伝達されにくく、イヤーパッド２の温度の上昇は無視できる程度に留まる。【選択図】  図１
2008148094.tif 000002
【特許請求の範囲】
【請求項１】
頭部に装着して使用し、音声及び映像の少なくとも一方を出力する出力装置であって、頭部側面と接触する左右のイヤーパッドと、前記イヤーパッドをそれぞれ自在ヒンジを介して保持する左右の保持部と、前記保持部を連結して、前記イヤーパッドを頭部側面の左右に押し付けるような付勢力を与えるヘッドバンド部とを有し、前記保持部のうち少なくとも一方に電気回路が内蔵されているものにおいて、前記電気回路が内蔵されている側の前記自在ヒンジが、熱伝導率が低い材料で形成されていることを特徴とする出力装置。
【請求項２】
頭部に装着して使用し、音声及び映像の少なくとも一方を出力する出力装置であって、頭部側面と接触する左右のイヤーパッドと、前記イヤーパッドをそれぞれ自在ヒンジを介して保持する左右の保持部と、前記保持部を連結して、前記イヤーパッドを頭部側面の左右に押し付けるような付勢力を与えるヘッドバンド部とを有し、前記保持部のうち少なくとも一方に電気回路が内蔵されているものにおいて、前記電気回路が内蔵されている側の前記自在ヒンジと前記イヤーパッドの接触部分に断熱材料が挟み込まれていることを特徴とする出力装置。
【請求項３】
頭部に装着して使用し、音声及び映像の少なくとも一方を出力する出力装置であって、頭部側面と接触する左右のイヤーパッドと、前記イヤーパッドをそれぞれ自在ヒンジを介して保持する左右の保持部と、前記保持部を連結して、前記イヤーパッドを頭部側面の左右に押し付けるような付勢力を与えるヘッドバンド部とを有し、前記保持部のうち少なくとも一方に電気回路が内蔵されているものにおいて、前記電気回路が内蔵されている側の前記自在ヒンジと前記イヤーパッドの接触部分が点接触とされていることを特徴とする出力装置。
【発明の詳細な説明】
【技術分野】
【０００１】
本発明は、ヘッドホーンやヘッドマウントディスプレイ等、頭部に装着して使用し、音声を出力する出力装置に関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ウェアラブルディスプレイと呼ばれている。このようなウェアラブルディスプレイの例は、例えばＷＯ２００４／０６１５１９Ａ１公報（特許文献１）に記載されている。
【０００３】
この映像表示装置は、多くの場合、頭に巻いた形で頭部に装着する構成とされ（ヘッドマウントディスプレイと呼ばれている）、両眼に対応する位置に映像表示系を形成した両眼タイプと左右眼の一方の眼に対応する位置に映像表示系を形成した片眼タイプとがある。このようなウェアラブルディスプレイは、通常は、映像を表示する表示部と音声を出力するヘッドホーンとを有している。又、ヘッドホーンは、音楽観賞用等の音声出力機器として、広く使用されている。
【特許文献１】ＷＯ２００４／０６１５１９Ａ１公報
【発明の開示】
【発明が解決しようとする課題】
【０００４】
このような出力装置は、頭部側面と接触する左右のイヤーパッドと、前記イヤーパッドをそれぞれ、自在ヒンジを介して保持する左右の保持部と、前記保持部を連結して、前記イヤーパッドを頭部側面の左右に押し付けるような付勢力を与えるヘッドバンド部とを有しているものが多い。そして、その中に電気回路を収納する場合には、保持部内に収納することが多い。
【０００５】
このような場合に、電気回路の発熱により、電気回路を収納する保持部の温度が、危険ではない程度に上昇することがある。この熱が、自在ヒンジを伝わってイヤーパッドに伝えられると、イヤーパッドの温度が上昇し、使用者が不快感を覚えることがある。
【０００６】
本発明はこのような事情に鑑みてなされたもので、電気回路を収納する保持部の温度上昇により、使用者に不快感を与えない出力装置を提供することを課題とする。
【課題を解決するための手段】
【０００７】
前記課題を解決するための第１の手段は、頭部に装着して使用し、音声及び映像の少なくとも一方を出力する出力装置であって、頭部側面と接触する左右のイヤーパッドと、前記イヤーパッドをそれぞれ自在ヒンジを介して保持する左右の保持部と、前記保持部を連結して、前記イヤーパッドを頭部側面の左右に押し付けるような付勢力を与えるヘッドバンド部とを有し、前記保持部のうち少なくとも一方に電気回路が内蔵されているものにおいて、前記電気回路が内蔵されている側の前記自在ヒンジが、熱伝導率が低い材料で形成されていることを特徴とする出力装置である。
【０００８】
前記課題を解決するための第２の手段は、頭部に装着して使用し、音声及び映像の少なくとも一方を出力する出力装置であって、頭部側面と接触する左右のイヤーパッドと、前記イヤーパッドをそれぞれ自在ヒンジを介して保持する左右の保持部と、前記保持部を連結して、前記イヤーパッドを頭部側面の左右に押し付けるような付勢力を与えるヘッドバンド部とを有し、前記保持部のうち少なくとも一方に電気回路が内蔵されているものにおいて、前記電気回路が内蔵されている側の前記自在ヒンジと前記イヤーパッドの接触部分に断熱材料が挟み込まれていることを特徴とする出力装置である。
【０００９】
前記課題を解決するための第３の手段は、頭部に装着して使用し、音声及び映像の少なくとも一方を出力する出力装置であって、頭部側面と接触する左右のイヤーパッドと、前記イヤーパッドをそれぞれ自在ヒンジを介して保持する左右の保持部と、前記保持部を連結して、前記イヤーパッドを頭部側面の左右に押し付けるような付勢力を与えるヘッドバンド部とを有し、前記保持部のうち少なくとも一方に電気回路が内蔵されているものにおいて、前記電気回路が内蔵されている側の前記自在ヒンジと前記イヤーパッドの接触部分が点接触とされていることを特徴とする出力装置である。
【発明の効果】
【００１０】
本発明によれば、電気回路を収納する保持部の温度上昇により、使用者に不快感を与えない出力装置を提供することができる。
【発明を実施するための最良の形態】
【００１１】
以下、本発明の実施の形態の例を、図を用いて説明する。図１は、本発明の実施の形態であるヘッドマウントディスプレイの概要を示す図である。このヘッドマウントディスプレイは、両耳を左右から押さえてヘッドマウントディスプレイを頭部に固定するイヤーパッド１、２を備えている。各イヤーパッド１、２の中にはスピーカー３、４が設けられ、それぞれの耳に音声を出力する。各イヤーパッド１、２は、自在ヒンジ５、６を介して保持部７、８に固定されている。左右の保持部７，８は、ヘッドバンド部９内に摺動自在に差し込まれ、ヘッドバンド部９により連結されている。ヘッドバンド部９は弾力性を有し、イヤーパッド１、２を左右から耳部に押し付ける付勢力を与える。保持部８の筐体内部には、電気回路１３が取り付けられている。
【００１２】
表示部１０は、表示部アーム１１に保持され、表示部アーム１１は、回動部１２を介して保持部８に結合されていて、装着時の前後方向に回動可能となっている。
【００１３】
図２に、図１のＡ部拡大図を示す。自在ヒンジ６は、線バネ１４の弾性力を受けながら、自在に回動可能とされているが、自在ヒンジ６は、熱伝導率が低い（約１０Ｗ／ｍ・Ｋ以下）の低熱伝導率材料（断熱材料）でできているので、電気回路１３から発生した熱は、イヤーパッド２に伝達されにくく、イヤーパッド２の温度の上昇は無視できる程度に留まる。自在ヒンジ６を低熱伝導率材料で形成する代わりに、図２に示すように、自在ヒンジ６とイヤーパッド２と間に、断熱材料１５を挟み込むようにしてもよい。又、自在ヒンジ６とイヤーパッド２との接触を点接触で行い、伝熱面積を少なくして、電気回路１３の発熱がイヤーパッド２に伝達されにくいようにしてもよい。
【００１４】
以上のようにすれば、イヤーパッド２の温度の上昇が防止でき、使用者に不快感を与えることを防止できる。
【図面の簡単な説明】
【００１５】
【図１】本発明の実施の形態であるヘッドマウントディスプレイの概要を示す図である。
【図２】図１のＡ部拡大図である。
【符号の説明】
【００１６】
１…イヤーパッド、２…イヤーパッド、３…スピーカー、４…スピーカー、５…自在ヒンジ、６…自在ヒンジ、７…保持部、８…保持部、９…ヘッドバンド部、１０…表示部、１１…表示部アーム、１２…回動部、１３…電気回路、１４…線バネ、１５…断熱材料
【図１】
2008148094.tif 000003
【図２】
2008148094.tif 000004